(57)【特許請求の範囲】
【請求項１】
前方に円状の衣類投入口を有し、水平または前方から後方に向かって下向きに傾斜した回転軸を有する回転ドラムと、前記回転軸の略延長線上に中心を有する円状の水槽開口部を有し前記回転ドラムを回転自在に収容する水槽と、前記回転軸の略延長線上に中心を有する円状の筐体開口部を有し前記水槽を揺動自在に収容する洗濯機筐体と、前記洗濯機筐体に取り付けられ前記筐体開口部を開閉自在に覆う扉体と、前記水槽開口部の内面に設けた環状の覆い部材と、前記水槽内に給水する給水手段および注水管路と、前記注水管路の途中に設けられ給水される洗濯水中にＡｇイオンを発生させるＡｇイオン発生装置と、紫外線を照射する紫外線発光装置と、前記紫外線発光装置からの紫外線の照射を制御する制御手段とを備え、前記注水管路は、前記Ａｇイオン発生装置からのＡｇイオンを含んだ洗濯水が前記回転ドラム内部の洗濯物に上方より散布状に給水されるように構成するとともに、前記紫外線発光装置は、前記水槽の前記水槽開口部側の上方に設けた貫通孔に嵌着固定され、前記紫外線発光装置の先端発光部に対応する位置の前記環状の覆い部材に小開口を設け、前記水槽と前記環状の覆い部材の小開口から発光した紫外線が前記回転ドラム内に略扇状に広がって照射されるように構成したドラム式洗濯機。
【請求項２】
紫外線発光装置は、紫外線発光部と、前記紫外線発光部を内包するための略筒状の紫外線発光装置カバーとで構成され、前記紫外線発光装置カバーの上端部には前記紫外線発光部を挿入するための開放端部を設け、もう一方の下端部には面の略中心部に前記紫外線発光部からの発光を通すための透孔を設け、前記透孔下方には透明板を水密的に嵌着固定し、前記紫外線発光部は前記紫外線発光装置カバーに挿入係着され、上端側から蓋体を固定した請求項１記載のドラム式洗濯機。
【請求項３】
紫外線発光部は、紫外線発光源及び紫外線発光源固定ケースから構成され、前記紫外線発光源は前記紫外線発光源固定ケース下部に前記紫外線発光源が下方向に照射するように固定された請求項２記載のドラム式洗濯機。
【請求項４】
紫外線発光源は、発光ダイオードと電気的に接続されるとともに機械的に固定されたリード線と、前記発光ダイオードと前記リード線を接続固定するプリント基板と、可撓性を有しかつ電気絶縁性能を有する材料である側面に少なくとも１つ内側へ窪み形状を持つ内容
器で構成され、前記リード線は前記内容器底部から紫外線発光源固定ケースの内側を通って配接され、他端にはコネクタを接続した請求項３記載のドラム式洗濯機。
【請求項５】
環状の覆い部材は、ステンレス等の金属部材で構成した請求項１〜４のいずれか１項に記載のドラム式洗濯機。
【発明の詳細な説明】
【技術分野】
【０００１】
本発明は、洗濯物を除菌処理する機能を備えたドラム式洗濯機に関するものである。
【背景技術】
【０００２】
従来のこの種のドラム式洗濯機では、使用者が回転ドラム内部の様子を容易に視認でき、また、洗濯〜すすぎ〜脱水等一連の行程終了後、洗濯物の取り出し忘れ等を防止するために、照明装置を配して回転ドラム内を照明することが考えられてきた（例えば、特許文献１参照）。
【０００３】
図６は、特許文献１に記載された従来のドラム式洗濯機の縦断面図である。図６に示すように、洗濯機筐体１１１内に支持された水槽１１２と、前記水槽１１２内にほぼ水平の軸回りに回転可能に設けられ洗濯物が収容される回転ドラム１２８と、前記回転ドラム１２８を回転駆動する駆動機構１３２と、前記水槽１１２に設けられ回転ドラム１２８の前面開口部２８ａに対応する筐体開口部１１６と、前記洗濯機筐体１１１に取り付けられ前記筐体開口部１１６を開閉自在に覆う扉体１１８とで構成し、前記扉体１１８の内部には透明ガラスからなる透明部１８ｂを設け、内方を視認できるようにすると共に、前記筐体開口部１１６と前記水槽１１２に設けた接続口１２ａとを繋ぐベローズ１１７の上部部分に、回転ドラム１２８内、特に最下底部を照明する発光体１４４を設ける構成である。
【特許文献１】特開２０００−１５７７８１号公報
【発明の開示】
【発明が解決しようとする課題】
【０００４】
しかしながら、このような従来の技術により実現されるドラム式洗濯機は、洗濯槽上部の、透明部１８ｂ一枚で隔離された位置に発光体１４４が設けられる構造が一般的であった。
【０００５】
これは従来の洗濯機能専用機（洗濯〜すすぎ〜脱水機能）の上部構造には、水や洗濯物に触れる可能性が小さいことを前提としていた。しかし、洗濯から乾燥まで全自動で連続使用する機種においては、とくに乾燥過程で熱気を帯びた蒸気に曝される機会も多く、熱劣化等で万一透明壁が損傷した場合は発光体の電極に蒸気が侵入し、あるいは蒸気が結露し、漏電の危険性が高まるという安全性の課題や、電極が腐食し、電気的接触が悪くなり、発光体が点灯しなくなるなどの課題があった。
【０００６】
本発明は、上記課題を解決するもので、紫外線発光装置を設けたドラム式洗濯機において、Ａｇイオン発生装置からのＡｇイオンを含んだ洗濯水が回転ドラム内部の洗濯物に上方より散布状に給水されるように構成するとともに、紫外線発光装置を水槽上部に設け、水槽と環状の覆い部材の間から紫外線が回転ドラム内に略扇状に広がって照射されるよう
に構成したことで、漏電や、液体浸入等による故障なく、洗濯物を除菌、抗菌処理することができ、細菌やカビ類に対して幅広い除菌、抗菌効果を示すことができるドラム式洗濯機を提供することを目的としている。
【課題を解決するための手段】
【０００７】
前記従来の課題を解決する為に、本発明のドラム式洗濯機は、前方に円状の衣類投入口を有し、水平または前方から後方に向かって下向きに傾斜した回転軸を有する回転ドラムと、前記回転軸の略延長線上に中心を有する円状の水槽開口部を有し前記回転ドラムを回転自在に収容する水槽と、前記回転軸の略延長線上に中心を有する円状の筐体開口部を有し前記水槽を揺動自在に収容する洗濯機筐体と、前記洗濯機筐体に取り付けられ前記筐体開口部を開閉自在に覆う扉体と、前記水槽開口部の内面に設けた環状の覆い部材と、前記水槽内に給水する給水手段および注水管路と、前記注水管路の途中に設けられ給水される洗濯水中にＡｇイオンを発生させるＡｇイオン発生装置と、紫外線を照射する紫外線発光装置と、前記紫外線発光装置からの紫外線の照射を制御する制御手段とを備え、前記注水管路は、前記Ａｇイオン発生装置からのＡｇイオンを含んだ洗濯水が前記回転ドラム内部の洗濯物に上方より散布状に給水されるように構成するとともに、前記紫外線発光装置は、前記水槽の前記水槽開口部側の上方に設けた貫通孔に嵌着固定され、前記紫外線発光装置の先端発光部に対応する位置の前記環状の覆い部材に小開口を設け、前記水槽と前記環状の覆い部材の小開口から発光した紫外線が前記回転ドラム内に略扇状に広がって照射されるように構成したものである。
【０００８】
これによって、洗濯物等による紫外線発光装置の損傷を防止することができ、安全に洗濯物を除菌、抗菌処理することができ、細菌やカビ類に対して幅広い除菌、抗菌効果を示すことができる。
【発明の効果】
【０００９】
本発明のドラム式洗濯機は、湿気や洗濯物等による紫外線発光装置の損傷を防止することができ、安全に洗濯物を除菌、抗菌処理することができ、細菌やカビ類に対して幅広い除菌、抗菌効果を得ることができる。
【発明を実施するための最良の形態】
【００１０】
第１の発明は、前方に円状の衣類投入口を有し、水平または前方から後方に向かって下向きに傾斜した回転軸を有する回転ドラムと、前記回転軸の略延長線上に中心を有する円状の水槽開口部を有し前記回転ドラムを回転自在に収容する水槽と、前記回転軸の略延長線上に中心を有する円状の筐体開口部を有し前記水槽を揺動自在に収容する洗濯機筐体と、前記洗濯機筐体に取り付けられ前記筐体開口部を開閉自在に覆う扉体と、前記水槽開口部の内面に設けた環状の覆い部材と、前記水槽内に給水する給水手段および注水管路と、前記注水管路の途中に設けられ給水される洗濯水中にＡｇイオンを発生させるＡｇイオン発生装置と、紫外線を照射する紫外線発光装置と、前記紫外線発光装置からの紫外線の照射を制御する制御手段とを備え、前記注水管路は、前記Ａｇイオン発生装置からのＡｇイオンを含んだ洗濯水が前記回転ドラム内部の洗濯物に上方より散布状に給水されるように構成するとともに、前記紫外線発光装置は、前記水槽の前記水槽開口部側の上方に設けた貫通孔に嵌着固定され、前記紫外線発光装置の先端発光部に対応する位置の前記環状の覆い部材に小開口を設け、前記水槽と前記環状の覆い部材の小開口から発光した紫外線が前記回転ドラム内に略扇状に広がって照射されるように構成したことにより、湿気や洗濯物等による紫外線発光装置の損傷を防止することができ、安全に洗濯物を除菌、抗菌処理することができ、細菌やカビ類に対して幅広い除菌、抗菌効果を得ることができる。
【００１１】
第２の発明は、特に第１の発明の紫外線発光装置を、紫外線発光部と、前記紫外線発光部を内包するための略筒状の紫外線発光装置カバーとで構成され、前記紫外線発光装置カ
バーの上端部には前記紫外線発光部を挿入するための開放端部を設け、もう一方の下端部には面の略中心部に前記紫外線発光部からの発光を通すための透孔を設け、前記透孔下方には透明板を水密的に嵌着固定し、前記紫外線発光部は前記紫外線発光装置カバーに挿入係着され、上端側から蓋体を固定したことにより、紫外線発光装置は水密的に防水された１個のユニットとして構成され、防水の安全性が高まり、前記水槽から独立した構造をしているため、万が一紫外線発光装置が故障した場合でも簡単に取り替えができる。また、洗濯機の上面から前記水槽上面に水が浸入してきたとしても、前記紫外線発光装置内部に侵入することは無いため、前記プリント基板のショート等の不安全問題が発生することもない。
【００１２】
第３の発明は、特に第２の発明の紫外線発光部は、紫外線発光源及び紫外線発光源固定ケースから構成され、前記紫外線発光源は前記紫外線発光源固定ケース下部に前記紫外線発光源が下方向に照射するように固定されたことにより、回転ドラム内への紫外線の照射角度を決定することができ、またズレが発生しないため、常に一定の角度での照射が可能となり、安定した除菌作用が発揮できる。
【００１３】
第４の発明は、特に第３の発明の紫外線発光源を、発光ダイオードと電気的に接続されるとともに機械的に固定されたリード線と、前記発光ダイオードと前記リード線を接続固定するプリント基板と、可撓性を有しかつ電気絶縁性能を有する材料である側面に少なくとも１つ内側へ窪み形状を持つ内容器で構成され、前記リード線は前記内容器底部から紫外線発光源固定ケースの内側を通って配接され、他端にはコネクタを接続したことにより、万が一紫外線発光装置が故障した場合でもリード線の取替えの処理が容易となり、また、プリント基板が内容器の窪みに合わせて当接させることで、位置決め等を確実になすとともに、確実に固定することができる。
【００１４】
第５の発明は、特に第１〜４のいずれかの発明の、環状の覆い部材を、ステンレス等の金属部材で構成したものであり、比熱容量が高いため発熱量も低く、熱伝導率も高いため発生した摩擦熱の放散も早くなされるので、洗濯物が熱により、溶けたり破れたりすることはない。また、環状の覆い部材自体の磨耗が起こらない部材で構成していること、また完全に紫外線発光装置の周りを覆っていることにより、環状の覆い部材の磨耗や破損により起こりうる紫外線発光部への洗濯物の接触を防止できるため、紫外線発光部の充電部への水の付着による感電を防止できる。
【００１５】
以下、本発明の実施の形態について、図面を参照しながら説明する。なお、この実施の形態によって本発明が限定されるものではない。
【００１６】
（実施の形態１）
本発明の第１の実施の形態におけるドラム式洗濯機について、図１〜５を用いて説明する。図１は、本実施の形態におけるドラム式洗濯機の断面図、図２は、同ドラム式洗濯機の要部断面図、図３は、同ドラム式洗濯機内に設置された紫外線発光装置の組立図、図４は、同ドラム式洗濯機内に設置された紫外線発光装置の分解図であり、図５は、紫外線発光源の分解図である。
【００１７】
図１において、前方に円状の衣類投入口２５を有する回転ドラム５と、それを収容する水槽３とを水平方向から上向き方向に角度θで傾斜させて洗濯機筐体２内に配設し、洗濯機筐体２の正面を傾斜させた傾斜面に設けられた扉体８から回転ドラム５内への洗濯物の出し入れを容易にした回転軸１５が水平より傾斜した斜めドラム形式のドラム式洗濯機を構成している。
【００１８】
前記回転ドラム５は、有底円筒形の開口部側を洗濯機筐体２の正面側に、底面側を洗濯
機筐体２の背面側にして、回転軸心Ｒが正面側から背面側に向けて角度θで下向き傾斜となるようにして水槽３内に配置され、その回転軸１５は水槽３の背面に設けられた軸受１６で軸支されている。
【００１９】
回転軸１５には従動プーリ１７ｂが装着され、水槽３の下面に取り付けられたドラム駆動モータ４の回転駆動軸に装着された駆動プーリ１７ａとの間に駆動ベルト１９が架設されたベルト駆動構造に構成され、ドラム駆動モータ４によって回転ドラム５は回転駆動される。回転ドラム５の周面には、衣類攪拌用のバッフル５５および多数の透孔２０が形成されて水槽３内との間で水の流通ができるように構成され、回転ドラム５の回転によりバッフル５５で洗濯物１３を上方に持ち上げ、上方から落下させる叩き洗いの作用がなされるように構成されている。
【００２０】
有底円筒形に構成された水槽３の正面側には、洗濯物出入口としての水槽開口部１４を設け、その中心Ｃは、回転ドラム５の衣類投入口２５の中心（回転軸心Ｒと一致）を同軸とし、扉体８の中心も水槽開口部１４の中心線上に略一致させるとともに、衣類投入口２５の内径も可能な限り大きく設定して衣類の出し入れ操作をしやすると共に、扉体８を開いた際には、より広範囲に回転ドラム５の内部を見渡すことができる。
【００２１】
また、回転ドラム５の前端部と水槽３の前端部の隙間にはＳＵＳ（ステンレス）材等の環状覆い部材１１で覆うように構成しているが、この環状の覆い部材１１はドーナツ状に形成し、中央開口部２２は、水槽３の水槽開口部１４と、回転ドラム５の衣類投入口２５との略中間に位置させ、水槽開口部１４と衣類投入口２５との空隙を実質的に小さくして、小物衣類などが空隙より回転ドラム５と水槽３の間に流出するのを防止している。
【００２２】
水槽３の扉体８側上方に注水口９を配し、洗濯機筐体２の上部内方に設けた給水手段（第１の給水弁）７からＡｇイオン発生装置１２を経由し、第１の注水管路１８を通じて、回転ドラム５内部の洗濯物１３に上方よりイオンを含んだ洗濯水を散布状に給水する。
【００２３】
紫外線発光装置２１は、図１に示すように水槽３の上面より水槽３に設けた貫通孔３０に嵌着固定され、制御手段（図示せず）がＯＮ状態になったとき、紫外線発光装置２１からの紫外線発光状態は図１の斜線部Ａのような略扇状に広がって洗濯物１３に注がれる。
【００２４】
なお、紫外線発光装置２１の配置は、水槽３からの水漏れを防ぐために、円状の水槽開口部１４の上半分以上の位置に設け、洗濯水や洗濯物に近接する可能性を極力排除する。
【００２５】
第２の給水弁２７からの給水は、洗剤ケース２８を通過して水槽注水口２９より水槽３内に注がれる。前記水槽注水口２９から注がれた給水は洗濯物１３に直接注がれず、回転ドラム５の周面の多数の透孔２０を通過して回転ドラム５内に注がれる。
【００２６】
図２の要部断面図により紫外線発光装置２１まわりの詳細を説明する。
【００２７】
紫外線発光装置２１は、水槽３に形成された貫通孔３０に嵌挿され、貫通孔３０内に水槽外部に水漏れ等無いように水密的に嵌着固定される。環状覆い部材１１には、回転ドラム５の衣類投入口２５より内方を指向する小開口２２を設け、前記小開口２２を水槽３に形成された貫通孔３０に対応する位置に形成することにより、紫外線発光装置２１の先端発光部２３は、環状覆い部材１１に形成された小開口２２の位置と対応する。
【００２８】
図３の紫外線発光装置の組立図および、図４の紫外線発光装置の分解図に基づいて、紫外線発光装置２１の詳細を説明する。
【００２９】
紫外線発光装置２１は、図３に示すように、紫外線発光源３６と紫外線発光源固定ケース３５とを一体ユニット化した紫外線発光部３１と、前記紫外線発光部３１を収納する紫外線発光装置カバー３２と、透明板３３および前記透明板３３を保持する透明板固定板３４と、紫外線発光部３１を紫外線発光装置カバー３２内部に収納後上方より密閉固定する蓋３７とで構成されている。前記紫外線発光源３６と、透明板３３および透明板固定板３４は、図２で示した、先端発光部２３を構成している。
【００３０】
図４の分解図において、紫外線発光装置カバー３２は、略筒状に形成しその底面部は、ガラス材の透明板３３を固定するための貫通する凹部３２ａを形成し、そこに水密用のパッキン３２ｂ、透明板３３の順に嵌着し、図４で下方から透明板固定板３４で固定することで、水分や、湿気が紫外線発光部３１内部に浸入することを防止している。
【００３１】
上記透明板３３は、透過性に優れ、紫外線照射による劣化を起こさない材料（例えば、石英ガラス）を用いる。
【００３２】
紫外線発光装置カバー３２の前記透明板３３に対応する底部位置には、光を通す透孔３２ｄを形成する。
【００３３】
一方、紫外線発光源３６の裏面（図４で上面側）には位置決め用のピン３６ａを形成し、紫外線発光源固定ケース３５に前記紫外線発光源３６のピン３６ａに対応した位置に穴３５ａ設けて、ピン３６ａを穴３５ａに挿入固定し、一体ユニット化させる。
【００３４】
また、一体ユニット化した紫外線発光部３１は、紫外線発光装置カバー３２の上面に設けた開放端部３２ｃから挿入され、紫外線発光源固定ケース３５の上部外周に一体形成した１個または複数個の突起５０を、紫外線発光装置カバー３２の上部側壁に設けた係止穴５１に係着させて、回転方向、および長手方向の位置決めとしているので、洗濯〜脱水運転中に起こる振動により、材料の磨耗や紫外線発光源３６のズレ等の発生を防止し、常に一定の照射角度を保つようにしている。
【００３５】
紫外線発光部３１を、上記のように位置決めして紫外線発光装置カバー３２に挿入後、図４で上方より断面逆凹状の蓋体３７を、紫外線発光源固定ケース３５にねじ５３にて固定し、上方からの水の浸入を防止する。
【００３６】
図５の分解図に基づいて、紫外線発光源３６の詳細を説明する。
【００３７】
図５（ａ）は紫外線発光源３６の平面図をしめし、図５（ｂ）は紫外線発光源３６の一部断面分解側面図である。
【００３８】
紫外線発光源３６は、図５（ａ）に示すように、内容器３８、プリント基板３９、発光ダイオード４０、等と、図５（ｂ）の側面図に示すリード線４１、コネクタ４２等で構成されている。
【００３９】
内容器３８は、可撓性と電気絶縁性を有する材質で構成し、その形状を閉塞した奥部である内容器奥部３８ｂと開口した内容器開口部３８ｃを有する長方形の形状をした器状に形成し、一辺は内側に窪み形状３８ａを設けている。
【００４０】
また、内容器奥部３８ｂにはリード線４１を通すための貫通する丸孔３８ｄが複数個設けられている。
【００４１】
プリント基板３９は、内容器３８の平面形状に対応するような形状に構成しつつ、プリ
ント基板３９にも内容器３８の窪み形状３８ａと同様窪みを設けているため、誤装着の防止を図っている。
【００４２】
また、プリント基板３９上には、所定の個数の発光ダイオード４０の端子と被覆電線である２本のリード線４１の被覆を取り除いた先端部とが挿入される取付穴４０ａが設けられており、発光ダイオード４０の端子と２本のリード線４１の先端部が、電気的に直列接続するようにプリント基板３９の下面に銅箔パターンが設ける。
【００４３】
また、所定の個数の発光ダイオード４０と２本のリード線４１は、銅箔パターン上に半田付けされることにより、プリント基板３９上に機械的に固定されている。
【００４４】
リード線４１は、内容器奥部３８ｂから図３の紫外線発光源固定カバー３２内部を点線で示したように通って配線され、図２の水槽３の上部でコネクタ４２接続される。よって、コネクタ４２、リード線４１、紫外線発光装置２１は、一体化したユニット部材として準備され、組立て、補修時のサービス性を向上させている。
【００４５】
以上のように構成されたドラム式洗濯機について、以下その動作、作用を説明する。
【００４６】
扉体８を開いて回転ドラム５内に洗濯物１３及び洗剤を投入して洗濯機の運転を開始させると、洗濯機筐体２内には給水路７から所定量の注水がなされ、ドラム駆動モータ４により回転ドラム５が回転駆動されて洗濯行程が開始される。回転ドラム５の回転により、回転ドラム５内に収容された洗濯物１３は回転ドラム５の内周面に設けられたバッフル５５によって回転方向に持ち上げられ、持ち上げられた適当な高さ位置から落下する撹拌動作が繰り返されるので、洗濯物１３には叩き洗いの作用が及んで洗濯がなされる。
【００４７】
所要の洗濯時間の後、汚れた洗濯液は排水路（図示せず）から排水し、回転ドラム５を高速回転させる中間脱水動作により洗濯物１３に含まれた洗濯液を脱水し、その後、洗濯機筐体２内にＡｇイオン発生装置１２で生成されたＡｇイオン水を添加した水を給水路７から注水して濯ぎ行程が実施される。
【００４８】
この濯ぎ行程においても、洗濯物１３はバッフル５５により持ち上げられて落下する撹拌動作が繰り返されて濯ぎ洗いが実施される。濯ぎ洗い実施後、濯ぎ液は排水路から排出され排水し、回転ドラム５を高速回転させる脱水工程により洗濯物１３に含まれた濯ぎ液を脱水し、一連の洗濯作用が終了する。
【００４９】
この濯ぎ行程および脱水工程において、洗濯物１３およびＡｇイオン水を添加した濯ぎ液に、紫外線発光装置２１により紫外線を照射する。Ａｇイオンは紫外線が照射されると、光触媒反応で放出された電子を水分子と反応させ、除菌作用の大きいヒドロキシラジカルあるいはスーパーオキシド等の活性酸素種を生成し、これらの強い酸化力によって効果的な除菌を行うことができる。
【００５０】
また、紫外線発光装置２１は、水槽３の端周縁部近傍に設置され、回転ドラム５内部に光を照射するが、この紫外線発光装置２１は水槽３に嵌着固定されているため、洗濯物１３がアンバランス状態になったとしても常に同一の角度で回転ドラム５内への照射が可能である。
【００５１】
さらに、紫外線発生光装置２１の先端発光部２３をＳＵＳ（ステンレス）材等の環状覆い部材１１で覆っており、さらに、ステンレス等の金属部材で構成されているため、洗濯物による磨耗を生じないため、洗濯物１３と接触することが無い。それにより、紫外線発光部への水の付着がないため、充電部への水の付着による感電などの不安全を回避するこ
とができる。
【００５２】
また、一体ユニット化した紫外線発光部３１は紫外線発光装置カバー３２内に水密的に収納されているので、信頼性が高まり安全に使用することができる。
【００５３】
また、リード線を所定の長さでコネクタ接続にしているため、万が一、故障した場合の交換も容易である。
【００５４】
以上説明した実施の形態の構成は、回転ドラムを傾斜配置した斜めドラム形式のドラム式洗濯機に適用した例を示したが、回転ドラムを水平方向に配置した一般的な構成においても同様に適用することができる。
【産業上の利用可能性】
【００５５】
以上のように、本発明にかかる紫外線発光装置を備えたドラム式洗濯機は、湿気や洗濯物等による紫外線発光装置の損傷を防止することができ、安全に洗濯物を除菌、抗菌処理することが可能となるので、除菌機能を必要とする食器洗い機等にも応用が可能である。
【図面の簡単な説明】
【００５６】
【図１】本発明実施の形態１におけるドラム式洗濯機の断面図
【図２】同ドラム式洗濯機の要部断面図
【図３】同ドラム式洗濯機の紫外線発光装置の組立図
【図４】同ドラム式洗濯機の紫外線発光装置の分解図
【図５】（ａ）同ドラム式洗濯機の紫外線発光装置の分解平面図（ｂ）同ドラム式洗濯機の紫外線発光装置の一部断面分解側面図
【図６】従来のドラム式洗濯機の縦断面図
【符号の説明】
【００５７】
２  洗濯機筐体
３  水槽
５  回転ドラム
７  給水手段（第一の給水弁）
８  扉体
１１  環状覆い部材
１２  Ａｇイオン発生装置
１４  水槽開口部
１５  回転軸
１７  筐体開口部
１８  注水管路
２１  紫外線発光装置
２２  小開口
２３  先端発光部
２５  衣類投入口
３０  貫通孔
３１  紫外線発光部
３２  紫外線発光装置カバー
３２ｃ  開放端部
３２ｄ  透孔
３３  透明板
３５  紫外線発光源固定ケース
３６  紫外線発光源
３７  蓋体
３８  内容器
３８ａ  窪み形状
３９  プリント基板
４０  発光ダイオード
４１  リード線
４２  コネクタ
【図１】
0004561798.tif 000002
【図２】
0004561798.tif 000003
【図３】
0004561798.tif 000004
【図４】
0004561798.tif 000005
【図５】
0004561798.tif 000006
【図６】
0004561798.tif 000007